(57)【要約】【課題】内箱の底面部に設けられたスポンジを省くことができて、部品点数を削減することができる自動販売機を提供する。【解決手段】断熱室内で発生した結露水を庫外に排出するドレン装置２０を備え、ドレン装置２０のドレンノズル２１が内箱内空間である庫内と内箱外空間である庫外とを貫通して配設された自動販売機であって、内箱底面部３ｂの断熱部をなす底面パネル１５を、ドレンノズル２１を組み込んだ状態でドレンノズル２１の周りに一体形成した断熱材により構成した。この構成により、ドレンノズル２１の周りに底面パネルが一体形成されて密着した状態であるので、従来設けられていたようなスポンジを省くことができて、部品点数を削減することができる。また、ドレンノズル２１の周りに外気が接触しなくなるので、ドレンノズル２１の周りに結露水が発生しなくなる。【選択図】図１
2009042947.tif 000002
【特許請求の範囲】
【請求項１】
複数の断熱室が設けられている断熱構造の内箱と、断熱室内で発生した結露水を庫外に排出するドレン装置とを備え、ドレン装置のドレンノズルが内箱内空間である庫内と内箱外空間である庫外とを貫通して配設された自動販売機であって、
内箱底面部の断熱部をなす底面断熱体を、ドレンノズルを組み込んだ状態でドレンノズルの周りに一体形成した断熱材により構成したことを特徴とする自動販売機。
【請求項２】
底面断熱体を、ドレンノズルを組み込んだ状態で一体発泡させた発泡体により構成したことを特徴とする請求項１記載の自動販売機。
【請求項３】
底面断熱体に、断熱機能を有して断熱室同士を仕切る仕切板の下端辺部を嵌り込ませる溝部を形成したことを特徴とする請求項１または２に記載の自動販売機。
【請求項４】
溝部における少なくとも一方の側面に、下方ほど溝部の幅が狭まるように傾斜面が形成されていることを特徴とする請求項３に記載の自動販売機。
【発明の詳細な説明】
【技術分野】
【０００１】
本発明は自動販売機に関し、特に、内箱の底面部の構造に関する。
【背景技術】
【０００２】
商品を冷却または加熱して、いわゆる商品を調温した状態で商品を販売する自動販売機においては、前面扉を開閉自在に支持する自動販売機本体内に、断熱構造の内箱が設けられ、さらに内箱内が、断熱機能を有する仕切板で仕切られ、複数の断熱収納空間としての断熱室が形成されて、この断熱室内に商品が収納されている。
【０００３】
断熱室内を冷却する手段としては、圧縮機、凝縮器、膨張機構、蒸発器などを備えた冷凍サイクルが一般に使用されており、各断熱室に冷凍サイクルの蒸発器がそれぞれ配設されている。そして、蒸発器により断熱室内の空気が冷却されて、この冷却された空気により商品が冷却される。冷却に際して、各断熱室内には結露水（いわゆるドレン水）が発生するが、この結露水を内箱の外部、いわゆる庫外に排出するために排水設備としてのドレン装置が設けられている。
【０００４】
この種のドレン装置は、例えば、図１２、図１３に示すような構造とされている。ドレン装置５０は、ドレンノズル５２を通すための貫通孔５１ａが予め形成されている板状断熱材からなる底面断熱体５１が、それぞれ金属板からなる内箱の底面部上面板５４と底面部下面板５３とにより上下から挟み込まれている。そして、樹脂製などからなるドレンノズル５２が、底面部下面板５３に予め形成していた孔部５３ａの下方から、底面断熱体５１の貫通孔５１ａ内に挿入されて係止用爪部５２ｂなどで底面部下面板５３に組付けられ、ドレンノズル５２の上面部と底面部上面板５４とをねじ止めにより固定している。
【０００５】
また、図１３に示すように、底面部上面板５４とドレンノズル５２の上面部との境界部には、断熱室からの結露水がドレンノズル５２と底面部上面板５４との間の隙間から外部に漏れないようにするための円環状のスポンジ５５が、底面部上面板５４の下面に密接した状態で介装されている。さらに、ドレンノズル５２の外周面と、ドレンノズル５２を通すための貫通孔５１ａの周壁面との間に、円環状のスポンジ６１が介装されて、ドレンノズル５２の周囲への外気の侵入が防止されている。すなわち、このスポンジ６１を配設しないと、内箱外空間である庫外６０からドレンノズル５２の周囲へ空気が侵入するため、この空気が、断熱室内の空気により冷却された底面部上面板５４に下方から触れ、この箇所で発生した結露水が、庫外６０におけるドレンノズル５２の下方箇所に落下して汚れや錆びなどを生じることがあったが、上記スポンジ６１を配設することで結露水に関するこのような不具合の発生を防止していた。なお、５２ａは、底面部下面板５３に下方から当てられるドレンノズル５２の鍔状部、５６は、ドレンノズル５２の下部に係合して（ドレンノズル５２の下端部外周に形成された溝部に係合した状態）取り付けられて、他端部に排水ホースが装着されるドレン水受けである。
【０００６】
また、図１４に示すように、内箱内空間である庫内は、断熱機能を有する複数（例えば２枚）の仕切板５７で仕切られて、複数（例えば３つ）の断熱収納空間としての断熱室５８が形成されているが、平面状の底面断熱体５１上に、仕切板５７の下端辺部が載せられた状態で配設されている。ここで、仕切板５７は、その下端辺部が、平面形状の底面断熱体５１上に載せられた状態であるので、このままでは底面断熱体５１と仕切板５７の下端辺部との間の隙間から、互いに隣り合う断熱室５８内の空気が流通して、断熱性能が低下するおそれがある。したがって、断熱性能が低下しないように、底面断熱体５１と仕切板５７の下端辺部との間には、この間の隙間を塞ぐスポンジ５９が介装されている。なお、底面部上面板５４の左右方向の端辺部には上方に延びる鍔部５４ａが形成されて、仕切板５７が左右方向にずれないよう、位置決めされている。
【０００７】
なお、図１２〜図１４に示した構造とほぼ同様の従来のドレン装置が、既に本出願人が出願している特許文献１に開示されている。
【特許文献１】特開２００７−１４８７０４号公報（図３〜図７）
【発明の開示】
【発明が解決しようとする課題】
【０００８】
しかしながら、上記従来構成では、内箱外空間である庫外６０からの空気が、ドレンノズル５２の周囲の隙間に侵入して底面部上面板５４の下面に接触し結露水が発生しないように、円環状のスポンジ６１を配設させており、この結果、部品点数が増加し、ひいては製造コストの増加を招く欠点があった。
【０００９】
また、断熱室からの結露水がドレンノズル５２と底面部上面板５４との間の隙間からドレンノズル５２の周囲の隙間に漏れないようにするためのスポンジ５５も必要であり、これによっても部品点数が増加していた。
【００１０】
さらに、上記従来構成では、底面断熱体５１と各仕切板５７の下端辺部との間の箇所から、隣り合う断熱室５８間の空気が流通することを防止して、断熱性能の低下を阻止するためにスポンジ５９が介装されており、このスポンジ５９を必要とすることによっても、部品点数が増加するとともに組付工程の増加を招いて、製造コストが増加していた。
【００１１】
本発明は上記課題を解決するもので、内箱の底面部に設けられたスポンジを省くことができて、部品点数を削減できる自動販売機を提供することを目的とするものである。
【課題を解決するための手段】
【００１２】
上記課題を解決するために本発明は、複数の断熱室が設けられている断熱構造の内箱と、断熱室内で発生した結露水を庫外に排出するドレン装置とを備え、ドレン装置のドレンノズルが内箱内空間である庫内と内箱外空間である庫外とを貫通して配設された自動販売機であって、内箱底面部の断熱部をなす底面断熱体を、ドレンノズルを組み込んだ状態でドレンノズルの周りに一体形成した断熱材により構成したことを特徴とする。
【００１３】
これにより、ドレンノズルの周りに断熱材が一体形成されて密着した状態で、底面断熱体が構成されているので、従来ドレンノズルの周りに設けられていたようなスポンジを省くことができて、部品点数を削減することができる。また、ドレンノズルの周りに外気が接触しなくなるので、ドレンノズルの周りでの結露水が発生しなくなる。
【００１４】
なお、底面断熱体としては、ドレンノズルを組み込んだ状態で一体発泡させた発泡体により構成すると好適であり、容易に行うことができる製造工程で、ドレンノズルの周りに発泡体を良好に密着させて形成することができる。
【００１５】
また、本発明は、底面断熱体に、断熱機能を有して断熱室同士を仕切る仕切板の下端辺部を嵌り込ませる溝部を形成したことを特徴とする。
この構成により、底面断熱体に形成した溝部に仕切板の下端辺部を嵌り込ませることができて、底面断熱体と仕切板の下端辺部との間にスポンジを設けなくても、断熱室間での空気の流通、すなわち、熱漏洩を阻止することができ、前記スポンジを省くことができて、部品点数を削減することができる。
【００１６】
また、本発明は、溝部における少なくとも一方の側面に、下方ほど溝部の幅が狭まるように傾斜面が形成されていることを特徴とする。
この構成により、溝部に仕切板の下端辺部を挿入した際に、仕切板の下端辺部が溝部に隙間なく密着させることができ、これにより、隣り合う断熱室間での空気の流通を、一層確実に防止できる。
【発明の効果】
【００１７】
本発明によれば、内箱底面部の断熱部をなす底面断熱体を、ドレンノズルを組み込んだ状態でドレンノズルの周りに一体形成した断熱材により構成したことにより、従来ドレンノズルの周りに設けられていたようなスポンジを省くことができて、部品点数を削減することができるとともに、ドレンノズルの周りに外気が接触しなくなるので、ドレンノズルの周りに結露水が発生しなくなり、結露水の落下に伴うドレンノズルよりも下方の部分の汚れや錆びの発生などを防止できる。
【００１８】
また、底面断熱体に、断熱機能を有して断熱室同士を仕切る仕切板の下端辺部を嵌り込ませる溝部を形成したことにより、底面断熱体と仕切板の下端辺部との間にスポンジを設けなくても、断熱室間での空気の流通を阻止することができ、部品点数を削減することができる。
【００１９】
また、溝部における少なくとも一方の側面に、下方ほど溝部の幅が狭まるように傾斜面を形成することにより、スポンジを設けなくても、溝部に仕切板の下端辺部を挿入した際に、仕切板の下端辺部が溝部に隙間なく密着し、隣り合う断熱室間での空気の流通が確実に防止される。
【発明を実施するための最良の形態】
【００２０】
以下、本発明の実施の形態に係る自動販売機を図面に基づき説明する。
ここで、図１は本発明の実施の形態に係る自動販売機の全体側面断面図、図２（ａ）は同自動販売機の内箱底面部およびその近傍箇所の正面図、図２（ｂ）は図２（ａ）の要部拡大断面図、図３は同内箱底面部およびその近傍箇所の一部切欠側面図、図４（ａ）〜（ｃ）は同内箱底面部の断熱部としての底面断熱体の平面図、正面図および側面図、図５は同内箱底面部のドレン装置が設けられている箇所の側面断面図、図６（ａ）〜（ｄ）はドレン装置のドレンノズルの平面図、正面図、図６（ｂ）のｃ−ｃ線矢視平面断面図および正面断面図、図７（ａ）〜（ｃ）はドレン装置のドレン水受けの平面図、正面図および正面断面、図８（ａ）および（ｂ）はそれぞれ底面断熱体の要部拡大正面図、図９（ａ）および（ｂ）は仕切板の平面図および側面図、図１０（ａ）、（ｂ）は背板の正面図および平面断面図である。
【００２１】
図１〜図３に示すように、前面扉１を開閉自在に支持する自動販売機本体２内に、断熱構造の内箱３が設けられ、内箱内空間である庫内３ａが、断熱機能を有する仕切板４で仕切られて、複数の断熱収納空間としての断熱室５が形成されて商品６が収納されている。なお、内箱３は前面が開口されており、この前面開口部は、内扉１３によって開閉自在である。また、自動販売機本体２内における内箱３の下方は、外気が導入自在とされた庫外１２の空間とされる。なお、この実施の形態では、内箱３の天井部、背面部、側面部は、自動販売機本体２の天井部、背面部、側面部としても機能している。
【００２２】
自動販売機の各断熱室５内を冷却する手段として、圧縮機７、凝縮器８、蒸発器９などを備えた冷凍サイクルが備えられており、各断熱室５に冷凍サイクルの蒸発器９がそれぞれ配設されている。そして、蒸発器９により断熱室５内の空気が冷却されて、この冷却された空気により商品６が冷却される。断熱室５内の加熱（加温）手段としては、例えば、シーズヒータ等の加熱手段１０が設けられる（この実施の形態では、図２に示すように、向かって左側と中央との断熱室５にシーズヒータからなる加熱手段１０が設けられている）が、これに限るものではない。なお、図１における１１は、冷却または加熱された空気を断熱室５内で送風、循環させる送風機である。
【００２３】
冷却時には、各断熱室５内において結露水（いわゆるドレン水）が発生し、特に、蒸発器９の箇所で結露水が多く発生するが、この結露水を内箱３の外部空間である庫外１２に排出するために、図１、図３、図５などに示すように、ドレンノズル２１やドレン水受け２２などを有するドレン装置２０が設けられている。
【００２４】
図３に示すように、ドレン装置２０が設けられている内箱３の底面部３ｂは、断熱部としての底面断熱体１５と、金属板で形成され、底面部３ｂの上面部分をなす底面部上面板１６と、金属板で形成され、底面部３ｂの下面部分をなす底面部下面板１７とから構成されており、底面断熱体１５が、底面部上面板１６と底面部下面板１７とにより上下から挟まれた状態で配設されている。
【００２５】
ここで、断熱部としての底面断熱体１５は発泡ウレタンなどの発泡体により構成されているが、発泡体が単体で形成されるのではなくて、図４（ａ）〜（ｃ）にも示すように、ドレンノズル２１を組み込んだ状態で製造される。すなわち、底面断熱体１５をなす発泡体の製造工程において、ウレタン材を注入型内に注入するに先立ち、予め、ドレンノズル２１を注入型に組み込んでおき、この後、注入型におけるドレンノズル２１よりも外周となる注入用空間に、ウレタン材などの発泡材料を注入するとともに発泡させることで、ドレンノズル２１の周りに隙間がない状態で一体形成して製造される。なお、ドレンノズル２１は、図５に示すように、最終的な組付状態で、内箱３の底面部３ｂを上下に貫通するように配設されている。
【００２６】
図５に示すように、ドレンノズル２１の下部にはドレン水受け２２が組み付けられ、また、底面断熱体１５の上面に、沿って底面部上面板１６が配設されている。例えば、この底面部上面板１６と底面断熱体１５とが、ねじ２３などで固定される。
【００２７】
図６（ａ）〜（ｄ）に示すように、ドレンノズル２１は、例えば合成樹脂製の成形品とされ、外形が略円筒形状で、上部側にねじ２３がねじ込まれるねじ込み凹部２１ｆを有する形状に一体形成されている。そして、その上部に、結露水（ドレン水）が流入する流入凹部２１ａが形成されているとともに、この流入凹部２１ａの下方に続いて案内孔部２１ｂが形成されている。また、ドレンノズル２１の下部には、ドレン水受け２２に形成された係止用突部２２ｄを導入するための切欠溝部２１ｃや係止用突部２２ｄを係止する円弧状片部２１ｄが形成されている。
【００２８】
図７（ａ）〜（ｃ）に示すように、ドレン水受け２２も、例えば合成樹脂製の成形品とされ、ドレンノズル２１の下部に係止される下延筒状部２２ａと、下延筒状部２２ａの下方において椀状に広がる受け部２２ｂと、これらを連結するアーム部２２ｃなどからなる。そして、ドレンノズル２１の流入凹部２１ａに流入した結露水（ドレン水）が、ドレンノズル２１の案内孔部２１ｂなどを介してドレン水受け２２の下延筒状部２２ａ内に導入された後、受け部２２ｂで一時的に受けられる構成とされている。そして、受け部２２ｂで受けられたドレン水の液面が、下延筒状部２２ａの下端縁よりも少し上方まで溜まることで、断熱室５内の冷却または加熱された空気が、庫外１２に流出しないようになっている。
【００２９】
また、ドレン水受け２２における下延筒状部２２ａの上部には、平面視して周方向２箇所に内側に突出する係止用突部２２ｄが形成されている。この係止用突部２２ｄは、ドレンノズル２１への装着時に、ドレンノズル２１の下部に形成された切欠溝部２１ｃを通して挿入された後、ドレン水受け２２を平面視して反時計回りに９０度回転させることで、ドレンノズル２１に形成された円弧状片部２１ｄ上に載った姿勢で係合し、これにより、ドレン水受け２２がドレンノズル２１に取り付けられるよう構成されている。なお、この実施の形態では、ドレン水受け２２は、図７（ａ）〜（ｃ）に示すような形状で一体形成された後、折曲片部２２ｅで、１８０度折り曲げられて爪部２２ｆで係止される構造とされ、このように椀状の受け部２２ｂが１物品で形成されることによる部品点数の低減化が図られている。
【００３０】
さらに、図３や図５に示すように、このドレン水受け２２の下方において、自動販売機の庫外１２において幅方向に傾斜しながら延びる姿勢で断面略Ｖ形状の樋２４が１つ配設されており、この１つの樋２４により、各断熱庫５に対応して設けられたドレン水受け２２から溢れ出たドレン水を受けるよう構成されている。そして、各ドレン水受け２２から溢れ出たドレン水は、樋２４で受けながら集められ、庫外１２に配設された蒸発皿２５（図１参照）に導入されて蒸発され、庫外１２の空気と共に外部に放出される。なお、図３における２８は、樋２４の支持部材である。
【００３１】
図３に示すように、内箱３の底面部３ｂは、手前側部分（前方寄り部分）に、後方ほど低くなるように少し傾斜する傾斜面２６が形成されており、断熱室５内の前方寄り部分に付着した結露水（ドレン水）は、手前側に流出することが防止され、ドレン装置２０が設けられている後方側に集められるようになっている。
【００３２】
図２（ａ）に示すように、内箱内空間である庫内３ａは、上述したように、断熱機能を有する発泡材等で構成される仕切板４（図９参照）で仕切られており、この実施の形態では、２枚の仕切板４により庫内３ａが左右に３つの断熱室５に仕切られている。仕切板４は、例えば、断熱機能を有する発泡材が、その表面に合成樹脂製のシート材で覆われて構成されている。なお、図示しないが、仕切板４の前縁部には、仕切板４の前縁部に沿って配設された補強用フレームを介して、内扉１３の裏面に密着可能なシール材（ガスケット）が取り付けられている。
【００３３】
図２（ａ）、図４に示すように、内箱３の底面部３ｂには、各仕切板４の下端辺部が入り込むように、下方に窪んだ形状で前後方向に延びる溝部２７が形成されている。このように、仕切板４の下端辺部が溝部２７に深く入り込んでいるため、従来のようなスポンジが介装されていなくても、良好に断熱できるようになっている。
【００３４】
ここで、図８（ａ）、（ｂ）に拡大して示すように、溝部２７における一方の側面の下方寄り部分には、下方ほど溝部２７の幅が狭まるように傾斜面２７ａが形成されており、これにより、溝部２７に仕切板４の下端辺部を挿入した際に、仕切板４の下端辺部が溝部２７に隙間なく密着するようになっている。なお、この実施の形態では、溝部２７における片側の側面だけ傾斜面２７ａを形成しているが、これに限るものではなく、溝部２７における両側の側面に傾斜面２７ａを形成してもよい。
【００３５】
図１０は、自動販売機本体２の背面に配設される断熱材としての背板３０を示し、この背板３０も発泡ウレタンなどの発泡体により構成されている。また、背板３０にも、仕切板４の後辺部が入り込むように、後方に窪んだ形状で上下方向に延びる溝部３１が形成されている。そして、仕切板４の後編部が溝部３１に深く入り込むことで、従来のようなスポンジが介装されていなくても、良好に断熱できるようになっている。また、図８（ｃ）に示すように、この溝部３１における両側の側面の奥側寄り部分には、下方ほど溝部３１の幅が狭まるように傾斜面３１ａが形成されており、これにより、溝部３１に仕切板４の後辺部を挿入した際に、仕切板４の後辺部４ｂ（図９参照）が溝部３１に隙間なく密着するようになっている。なお、これに限るものではなく、溝部３１における片側の側面だけに傾斜面３１ａを形成してもよい。
【００３６】
また、図１において簡略的に示しているが、断熱室５の上面部（天井面部）には、商品が収納される商品収納部（いわゆる収納ストッカ）を庫内３ａから手前側に出退自在に支持するためにガイドレール３３が設けられている。そして、この実施の形態では、ガイドレール３３の製造組立時の取付作業を行い易くするために、仕切板４の上部側が左右に若干移動できるよう、仕切板４の上部側には溝部３１が設けられていない。このように、溝部３１が設けられていない箇所には隙間を埋めるためのスポンジを配設することが望ましいが、ガイドレール３３の取付作業等に支障をきたさない場合は、溝部３１を背板３０の上端まで形成してもよい。
【００３７】
また、仕切板４は、内箱３の底面部３ｂ（底面断熱体１５）の溝部２７および背板３０の溝部３１に嵌め込まれることにより概略的にその左右方向の位置が決められるが、実質的は、図２（ｂ）に示すように、底面部３ｂの上面部分をなす底面部上面板１６の左辺部または右辺部から鍔状に上方に延びるように形成された鍔状部１６ａによって左右方向の位置規制が行われている。
【００３８】
なお、図１１に示すように、仕切板４の後辺部に近い箇所や、これに対応する背板３０には、仕切板４を背板３０に固定するブラケット３２を通過させるために、スリット４ａ、３０ａが形成されている。そして、このブラケット３２を貼付用テープ（図示せず）等により背板３０に貼り付けるとともに、ブラケット３２を背板３０のスリット３０ａと仕切板４のスリット４ａとを通過させた後、後方に屈曲させることにより、仕切板４を良好に保持するよう構成されている。なお、この構造の詳細に関しては、本出願人が出願した特許出願に係る特開２００６−１７８８６０公報を参照されたい。
【００３９】
上記構成によれば、内箱３の底面部３ｂの断熱部分をなす底面断熱体１５を、ドレンノズル２１を組み込んだ状態でドレンノズル２１の周りに一体形成した断熱材により構成したので、ドレンノズル２１の周りに底面断熱体１５が隙間なく密着して、従来設けられていたようなスポンジを省くことができて、部品点数を削減することができる。また、ドレンノズル２１の周りに外気が接触しなくなるので、ドレンノズル２１の周りに結露水が発生しなくなり、結露水の落下部分が汚れたりして不衛生になるなどの不具合を防止することもできる。
【００４０】
また、底面断熱体１５に、仕切板４の下端辺部を嵌り込ませる溝部２７を形成したので、底面断熱体１５と仕切板４の下端辺部との間にスポンジを介装しなくても、底面断熱体１５と仕切板４とを密着させることができて、断熱室５間での空気の流通、すなわち、熱漏洩を阻止することができると同時に、スポンジを省いたため部品点数を削減することができる。
【００４１】
また、背板３０にも、仕切板４の後辺部を嵌り込ませる溝部３１を形成したので、底面断熱体１５と仕切板４の後辺部との間にスポンジを介装しなくても、背板３０と仕切板４とを密着させることができて、断熱室５間での空気の流通、すなわち、熱漏洩を阻止することができると同時に、スポンジを省くことが可能となり部品点数を削減できる。
【００４２】
また、溝部２７、３１における少なくとも一方の側面に、下方ほど溝部２７、３１の幅が狭まるように傾斜面２７ａ、３１ａを形成したことにより、溝部２７、３１に仕切板４の下端辺部や後辺部を挿入した際に、この箇所が溝部２７、３１に隙間なく良好に密着し、これにより、隣り合う断熱室４間での空気の流通をより確実に防止することができる。
【００４３】
なお、上記の実施の形態では、ドレン水受け２２の下方に、各ドレン水受け２２から溢れ出たドレン水を受ける断面略Ｖ形状の樋２４を配設したので、簡単な構造となるとともに樋２４の数も１つだけで済んで、部品点数も最小に抑えられる利点があるが、これに限るものではなく、各ドレン水受け２２にそれぞれホースなどを接続してもよい。
【図面の簡単な説明】
【００４４】
【図１】本発明の実施の形態に係る自動販売機の全体側面断面図である。
【図２】（ａ）は同自動販売機の内箱底面部およびその近傍箇所の正面図、（ｂ）は図２（ａ）の要部拡大断面図である。
【図３】同内箱底面部およびその近傍箇所の一部切欠側面図である。
【図４】（ａ）〜（ｃ）は同内箱底面部の断熱部としての底面断熱体の平面図、正面図および側面図である。
【図５】同内箱底面部のドレン装置が設けられている箇所の側面断面図である。
【図６】（ａ）〜（ｄ）は、ドレン装置のドレンノズルの平面図、正面図、図６（ｂ）のｃ−ｃ線矢視平面断面図および正面断面図である。
【図７】（ａ）〜（ｃ）はドレン装置のドレン水受けの平面図、正面図および正面断面である。
【図８】（ａ）および（ｂ）はそれぞれ底面断熱体の要部拡大正面図、（ｃ）は背板の要部拡大正面図である。
【図９】（ａ）および（ｂ）は仕切板の平面図および側面図である。
【図１０】（ａ）および（ｂ）は背板の正面図および平面断面図である。
【図１１】本発明の実施の形態に係る自動販売機本体の背面金属板に対する背板や仕切板の取付構造を簡略的に示す平面断面図である。
【図１２】従来の自動販売機の内箱底面部およびその近傍箇所の一部切欠側面図である。
【図１３】同従来の自動販売機における内箱底面部のドレン装置が設けられている箇所の側面断面図である。
【図１４】同従来の自動販売機の内箱底面部およびその近傍箇所の正面図である。
【符号の説明】
【００４５】
２      自動販売機本体
３      内箱
３ｂ    底面部
４      仕切板
５      断熱室
１５    底面断熱体
１６    底面部上面板
１７    底面部下面板
２０    ドレン装置
２１    ドレンノズル
２２    ドレン水受け
２４    樋
２５    蒸発皿
２６    傾斜面
２７    溝部
２７ａ  傾斜面
３０    背板
３１    溝部
３１ａ  傾斜面
【図１】
2009042947.tif 000003
【図２】
2009042947.tif 000004
【図３】
2009042947.tif 000005
【図４】
2009042947.tif 000006
【図５】
2009042947.tif 000007
【図６】
2009042947.tif 000008
【図７】
2009042947.tif 000009
【図８】
2009042947.tif 000010
【図９】
2009042947.tif 000011
【図１０】
2009042947.tif 000012
【図１１】
2009042947.tif 000013
【図１２】
2009042947.tif 000014
【図１３】
2009042947.tif 000015
【図１４】
2009042947.tif 000016